(57)【要約】  【課題】  確実に分煙することができる空気吹出装置を提供する。【解決手段】  隣接する遊技機３０、３０間に設けられ、エアーカーテンを形成する空気吹出装置１であって、空気を吹き出す細長状の吹出部と、吹出部からの空気の吹き出し方向を案内するガイド部とを有する装置本体２と、装置本体２に空気を供給する送風機３とを備え、ガイド部は、空気流れを水平方向に対して斜め下方へ向けて案内する空気吹出装置である。【選択図】  図１
0003113706.tif 000002
【実用新案登録請求の範囲】
【請求項１】
隣接する遊技機間に設けられ、エアーカーテンを形成する空気吹出装置であって、
空気を吹き出す細長状の吹出部と、該吹出部からの空気の吹き出し方向を案内するガイド部とを有する装置本体と、
前記装置本体に空気を供給する送風機とを備え、
前記ガイド部は、空気流れを水平方向に対して斜め下方へ向けて案内する空気吹出装置。
【請求項２】
前記ガイド部は、前記吹出部の長手方向に沿って並設された複数の整流板を備える請求項１に記載の空気吹出装置。
【請求項３】
複数の前記整流板は、最下端に配置された整流板により案内される空気流れが最も下方へ向けて案内されるように配置されている請求項２に記載の空気吹出装置。
【考案の詳細な説明】
【技術分野】
【０００１】
本考案は、エアーカーテンを形成して分煙する空気吹出装置に関する。
【背景技術】
【０００２】
パチンコ店等の遊技場では、例えば、喫煙者が吸った煙草の煙が拡散し、その煙が隣のパチンコ台にいる非喫煙者のもとへ流れる等して、非喫煙者が不快な思いをする場合がある。
【０００３】
このようなことを防止するために、特許文献１に示されるような遊技場環境浄化装置が知られている。
【０００４】
この遊技場環境浄化装置は、図５に示すように、隣接する遊技台１０１間に斜め上向きに空気を吹射し、エアーカーテンを形成する空気吹出装置１０３を介設すると共に、天井Ｃに空気清浄機１０６を設置し、吹射された空気を吸引するものである。そしてこの構成により、各遊技台１０１間をエアーカーテンにより遮断して分煙すると共に、煙を遊技者の後方上部へ吹き飛ばすものである。
【特許文献１】特開平９−６６１６０号公報
【考案の開示】
【考案が解決しようとする課題】
【０００５】
しかし、このような構成では、空気吹出装置１０３から吹射される空気が斜め上向きであるため、例えば、遊技者の手元にある灰皿に置かれた煙草の煙等、空気吹出装置１０３より下方から発生する煙に対して効果的に分煙することができなかった。
【０００６】
本考案は、上記問題を解決するためになされたものであって、確実に分煙することができる空気吹出装置の提供を目的とする。
【課題を解決するための手段】
【０００７】
本発明の前記目的は、隣接する遊技機間に設けられ、エアーカーテンを形成する空気吹出装置であって、空気を吹き出す細長状の吹出部と、該吹出部からの空気の吹き出し方向を案内するガイド部とを有する装置本体と、前記装置本体に空気を供給する送風機とを備え、前記ガイド部は、空気流れを水平方向に対して斜め下方へ向けて案内する空気吹出装置により達成される。
【０００８】
また、前記ガイド部は、前記吹出部の長手方向に沿って並設された複数の整流板を備えることが好ましい。
【０００９】
また、複数の前記整流板は、最下端に配置された整流板により案内される空気流れが最も下方へ向けて案内されるように配置されていることが好ましい。
【考案の効果】
【００１０】
本考案の空気吹出装置よれば、確実に分煙することができる。
【考案を実施するための最良の形態】
【００１１】
以下、本考案の実態形態について添付図面を参照して説明する。図１は、本考案の一実施形態に係る空気吹出装置１を設けた遊技場４５の側面図、図２は、空気吹出装置１を設けた遊技機３０の正面図である。
【００１２】
空気吹出装置１は、図１に示すように、複数の島４０と、遊技者用の椅子４１等を備える遊技場４５に設けられるものである。
【００１３】
島４０は、図２に示すように、棚板４１と、棚板４１の上方に並設された複数の遊技機３０とを備えており、隣接する遊技機３０、３０間に空気吹出装置１が設けられている。遊技機３０は、例えばパチンコ機であり、受皿４３や、遊技機３０の下部又は棚板４１に設けられた灰皿４４等を備えた公知のものとすることができる。また、遊技機３０としては、パチンコ機に限られず、スロットマシン等であってもよい。
【００１４】
図３は、空気吹出装置１の側面断面図、図４は、図３におけるＩ−Ｉ断面図である。
【００１５】
空気吹出装置１は、図３に示すように、装置本体２と、装置本体２の下部に取り付けられた送風機３と、装置本体２の側面に取り付けられた扁平筐体４とを備えている。
【００１６】
装置本体２は、箱形の部材であり、下部には導入口２６が形成されている。また、装置本体２は、扁平筐体４が取り付けられた側面の上部に、流出口２５が形成されており、内部には空気清浄機１７が設置されている。空気清浄器１７は、例えば、空気に香りを付けるイオンボール等の芳香剤や、空気を清浄化するフィルター等を備えた公知のものを使用することができる。
【００１７】
送風機３は、導入口２６に接続されており、例えば、シロッコファン等の遠心式送風機や、プロペラ送風機等の公知のものを使用することができる。
【００１８】
扁平筐体４は、図２に示すように、細長形状の前面部１１を備えており、この前面部１１には角形の吹出孔１５が形成されている。吹出孔１５は、角形に限らず、丸形や細長のスリット状であってもよい。扁平筐体４の内部は、図４に示すように、流出口２５を介して装置本体２の内部と連通している。また、扁平筐体４内部には、整流板１２が縦方向に複数並設されており、この整流板１２は、水平方向に対して前面側に向かって下方へ傾斜している。整流板１２の傾斜角は、最下方に設けられたものが他より大きくなるように設定されており、例えば、最下方の整流板１２が３０度であり、他のものが１５度に設定されている。また、この傾斜角は任意に調節可能であってもよい。
【００１９】
次に、以上のように構成された空気吹出装置１を用いてエアーカーテンを形成する方法を説明する。
【００２０】
遊技場４５内に喫煙者を含む複数の遊技者がいる時に、例えば、遊技場４５の管理者等が図示しない空気吹出装置１のスイッチをオンにして、送風機３を作動させる。送風機３の作動により、空気が空気吹出装置１の装置本体２内へ供給され、上方へ流れてゆく。この時、装置本体２内を通過する空気は、空気清浄器１７により清浄化や香り付けがなされる。空気が通過する装置本体２内に空気清浄器１７を設置したので、フィルターによる空気の清浄化や芳香剤による香り付けを確実に行うことができる。
【００２１】
その後、空気は、装置本体２の上部から流出口２５を通過して、扁平筐体４内へ流れてゆく。そして、この空気は、前面部１１の吹出孔１５から遊技場４５内へ吹き出され、隣接する遊技機３０、３０間にエアーカーテンを形成する。この時、扁平筐体４内の整流板１２により、空気は、矢示Ａのように斜め下方へ案内されて吹き出される。また、前面部１１の下部から吹き出される空気は、最下方の整流板１２により、より下方へ案内される。このように、整流板１２を傾斜させて、空気を斜め下方へ吹き出す構成としたので、遊技機３０の下部付近にもエアーカーテンを形成することができ、確実に分煙することができる。また、最下方の整流板１２の傾斜角を大きくしたので、空気がより下方へ案内され、空気吹出装置１より下方から発生する煙に対しても確実に分煙することができる。
【００２２】
以上、本考案の一実施形態について詳述したが、本考案の具体的な態様は上記実施形態に限定されない。本実施形態では、複数の整流板１２を、空気の吹き出し方向を案内するガイド部としていたが、吹出孔１５をガイド部としてもよい。この場合、吹出孔１５を傾斜させることにより、吹き出される空気を斜め下方へ案内する。
【図面の簡単な説明】
【００２３】
【図１】本考案の一実施形態に係る空気吹出装置を設けた遊技場の側面図である。
【図２】図１に示す空気吹出装置を設けた遊技機の正面図である。
【図３】図１に示す空気吹出装置の側面断面図である。
【図４】図１に示す空気吹出装置の平面断面図である。
【図５】従来の空気吹出装置の概略構成図である。
【符号の説明】
【００２４】
１  空気吹出装置
２  装置本体
３  送風機
４  扁平筐体
１１  前面部
１２  整流板
１５  吹出孔
１７  空気清浄器
２５  流出口
２６  導入口
３０  遊技機
４０  島
４４  灰皿
４５  遊技場
【図１】
0003113706.tif 000003
【図２】
0003113706.tif 000004
【図３】
0003113706.tif 000005
【図４】
0003113706.tif 000006
【図５】
0003113706.tif 000007